【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスデバイスによって、アンライセンス無線周波数スペクトル帯域へのアクセスを求めて競合することと、
前記ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づき、ここにおいて、前記ＣＵＢＳを生成することは、
前記ＣＵＢＳの送信電力を前記スケジュールされたアップリンク送信の送信電力に一致させること、および
前記ＣＵＢＳの帯域幅を前記スケジュールされたアップリンク送信の帯域幅に一致させること
のうちの少なくとも１つを備える、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を備える方法。
【請求項２】
前記ＣＵＢＳの前記帯域幅を前記スケジュールされたアップリンク送信の前記帯域幅に一致させることが、
前記ＣＵＢＳの帯域幅を前記スケジュールされたアップリンク送信に割り振られた周波数トーンセットに一致させること
を備える、請求項１に記載の方法。
【請求項３】
前記スケジュールされたアップリンク送信に関連付けられた静的または半静的スケジュールに少なくとも部分的に基づいて、前記スケジュールされたアップリンク送信に割り振られた前記周波数トーンセットを決定すること
をさらに備える、請求項２に記載の方法。
【請求項４】
前記ＣＵＢＳの前記帯域幅を前記スケジュールされたアップリンク送信の前記帯域幅に一致させることが、
前記ＣＵＢＳを送信するために使用されるリソースブロックの総数を前記スケジュールされたアップリンク送信に関連付けられたリソースブロックの総数に一致させること
を備える、請求項２に記載の方法。
【請求項５】
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、請求項１に記載の方法。
【請求項６】
前記スケジュールされたアップリンク送信が、前記ＳＲＳ送信と、前記ＰＵＳＣＨ送信または前記ＰＵＣＣＨ送信のうちの少なくとも１つとの両方を備え、前記方法が、
前記ＣＵＢＳの帯域幅を前記ＰＵＳＣＨ送信または前記ＰＵＣＣＨ送信のうちの前記少なくとも１つに割り振られた周波数トーンセットに一致させることと、
前記ＳＲＳ送信を前記スケジュールされたアップリンク送信の最終シンボルとして送信することと
をさらに備える、請求項５に記載の方法。
【請求項７】
前記ＳＲＳ送信の総送信電力を前記ＰＵＳＣＨ送信または前記ＰＵＣＣＨ送信のうちの前記少なくとも１つの総送信電力に一致させること、および
前記ＳＲＳ送信の電力スペクトル密度を前記ＰＵＳＣＨ送信または前記ＰＵＣＣＨ送信のうちの前記少なくとも１つの電力スペクトル密度に一致させること
のうちの少なくとも１つをさらに備える、請求項６に記載の方法。
【請求項８】
前記スケジュールされたアップリンク送信が、前記ＰＵＳＣＨ送信または前記ＰＵＣＣＨ送信のうちの少なくとも１つで多重化された前記ＳＲＳ送信を含む多重化送信を備え、前記ＣＵＢＳが、前記多重化送信に割り振られた周波数トーンセットを介して送信される、請求項５に記載の方法。
【請求項９】
前記ＣＵＢＳの前記波形がさらに、前記ワイヤレスデバイスの識別情報に少なくとも部分的に基づいて生成される、請求項１に記載の方法。
【請求項１０】
前記ワイヤレスデバイスが、第１のワイヤレスデバイスを備え、前記スケジュールされたアップリンク送信が、送信期間の間の基地局への複数のスケジュールされたアップリンク送信のうちの第１のスケジュールされたアップリンク送信を備え、前記複数のスケジュールされたアップリンク送信が、第２のワイヤレスデバイスによる第２のスケジュールされたアップリンク送信を備え、前記第１のスケジュールされたアップリンク送信が、前記第２のスケジュールされたアップリンク送信とは異なる、請求項１に記載の方法。
【請求項１１】
前記スケジュールされたアップリンク送信が、第１のスケジュールされたアップリンク送信を備え、前記ＣＵＢＳが、第１のＣＵＢＳを備え、前記方法が、
前記ワイヤレスデバイスにおいて第２のＣＵＢＳを生成することと、ここにおいて、前記第２のＣＵＢＳの波形が、前記ワイヤレスデバイスによる第２のスケジュールされたアップリンク送信に少なくとも部分的に基づく、
前記第２のスケジュールされたアップリンク送信の前に前記アンライセンス無線周波数スペクトル帯域を占有するために、前記ワイヤレスデバイスによって、前記アンライセンス無線周波数スペクトル帯域を介して前記第２のＣＵＢＳを送信することと
をさらに備える、請求項１に記載の方法。
【請求項１２】
前記スケジュールされたアップリンク送信が、リッスンビフォアトーク（ＬＢＴ）フレーム、基地局同期フレーム、またはサブフレームからなる群から選択される送信期間についてスケジュールされる、請求項１に記載の方法。
【請求項１３】
前記ＣＵＢＳの前記波形がさらに、前記スケジュールされたアップリンク送信が最初にスケジュールされた送信期間の識別情報に少なくとも部分的に基づいて生成される、請求項１に記載の方法。
【請求項１４】
ワイヤレス通信のためのワイヤレスデバイス装置であって、
アンライセンス無線周波数スペクトル帯域へのアクセスを求めて競合するための手段と、
チャネル使用ビーコン信号（ＣＵＢＳ）を生成するための手段と、ここにおいて、前記ＣＵＢＳの波形が、前記ワイヤレスデバイスによるスケジュールされたアップリンク送信に少なくとも部分的に基づき、ここにおいて、前記ＣＵＢＳを生成するための前記手段は、
前記ＣＵＢＳの送信電力を前記スケジュールされたアップリンク送信の送信電力に一致させるための手段と、および
前記ＣＵＢＳの帯域幅を前記スケジュールされたアップリンク送信の帯域幅に一致させるための手段と
のうちの少なくとも１つを備える、
前記スケジュールされたアップリンク送信の前にアンライセンス無線周波数スペクトル帯域を占有するために、前記アンライセンス無線周波数スペクトル帯域を介して前記ＣＵＢＳを送信するための手段と
を備える装置。
【請求項１５】
プログラム命令を備えるコンピュータプログラムであって、前記プログラム命令は、請求項１から１３のうちの一項に記載の方法のすべてのステップを実現するようにコンピュータ実行可能である、コンピュータプログラム。
【手続補正２】
【補正対象書類名】明細書
【補正対象項目名】０１７０
【補正方法】変更
【補正の内容】
【０１７０】
[0178]  本開示についての以上の説明は、当業者が本開示を作成または使用することができるように与えたものである。本開示への様々な修正は当業者に容易に明らかになり、本明細書で定義される一般原理は、本開示の趣旨または範囲から逸脱することなく、他の変形形態に適用され得る。本開示全体にわたって、「例」または「例示的」という用語は、一例または一事例を示すものであり、言及された例についてのいかなる選好も暗示または要求するものではない。したがって、本開示は、本明細書で説明される例および設計に限定されるべきではなく、本明細書で開示される原理および新規の特徴と一致する最も広い範囲を与えられるべきである。
以下に本願の出願当初の特許請求の範囲に記載された発明を付記する。
［Ｃ１］
ワイヤレス通信の方法であって、
ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を備える方法。
［Ｃ２］
前記ＣＵＢＳを生成することは、
前記ＣＵＢＳの送信電力と前記スケジュールされたアップリンク送信の送信電力を一致させること、および
前記ＣＵＢＳの帯域幅と前記スケジュールされたアップリンク送信の帯域幅を一致させること
のうちの少なくとも１つを備える、Ｃ１に記載の方法。
［Ｃ３］
前記ＣＵＢＳの前記帯域幅と前記スケジュールされたアップリンク送信の前記帯域幅を一致させることが、
前記ＣＵＢＳの帯域幅と前記スケジュールされたアップリンク送信に割り振られた周波数トーンセットを一致させること
を備える、Ｃ２に記載の方法。
［Ｃ４］
前記スケジュールされたアップリンク送信に関連付けられた静的または半静的スケジュールに少なくとも部分的に基づいて、前記スケジュールされたアップリンク送信に割り振られた前記周波数トーンセットを決定すること
をさらに備える、Ｃ３に記載の方法。
［Ｃ５］
前記ＣＵＢＳの前記帯域幅と前記スケジュールされたアップリンク送信の前記帯域幅を一致させることが、
前記ＣＵＢＳを送信するために使用されるリソースブロックの総数と前記スケジュールされたアップリンク送信に関連付けられたリソースブロックの総数を一致させること
を備える、Ｃ３に記載の方法。
［Ｃ６］
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、Ｃ１に記載の方法。
［Ｃ７］
前記スケジュールされたアップリンク送信が、前記ＳＲＳ送信と前記ＰＵＳＣＨ送信または前記ＰＵＣＣＨ送信のうちの少なくとも１つの両方を備え、前記方法が、
前記ＣＵＢＳの帯域幅と前記ＰＵＳＣＨ送信または前記ＰＵＣＣＨ送信のうちの前記少なくとも１つに割り振られた周波数トーンセットを一致させることと、
前記ＳＲＳ送信を前記スケジュールされたアップリンク送信の最終シンボルとして送信することと
をさらに備える、Ｃ６に記載の方法。
［Ｃ８］
前記ＳＲＳ送信の総送信電力と前記ＰＵＳＣＨ送信または前記ＰＵＣＣＨ送信のうちの前記少なくとも１つの総送信電力を一致させること、および
前記ＳＲＳ送信の電力スペクトル密度と前記ＰＵＳＣＨ送信または前記ＰＵＣＣＨ送信のうちの前記少なくとも１つの電力スペクトル密度を一致させること
のうちの少なくとも１つをさらに備える、Ｃ７に記載の方法。
［Ｃ９］
前記スケジュールされたアップリンク送信が、前記ＰＵＳＣＨ送信または前記ＰＵＣＣＨ送信のうちの少なくとも１つで多重化された前記ＳＲＳ送信を含む多重化送信を備え、前記ＣＵＢＳが、前記多重化送信に割り振られた周波数トーンセットを介して送信される、Ｃ６に記載の方法。
［Ｃ１０］
前記ＣＵＢＳの前記波形がさらに、前記ワイヤレスデバイスの識別情報に少なくとも部分的に基づいて生成される、Ｃ１に記載の方法。
［Ｃ１１］
前記ワイヤレスデバイスが、第１のワイヤレスデバイスを備え、前記スケジュールされたアップリンク送信が、送信期間の間の基地局への複数のスケジュールされたアップリンク送信のうちの第１のスケジュールされたアップリンク送信を備え、前記複数のスケジュールされたアップリンク送信が、第２のワイヤレスデバイスによる第２のスケジュールされたアップリンク送信を備え、前記第１のスケジュールされたアップリンク送信が、前記第２のスケジュールされたアップリンク送信とは異なる、Ｃ１に記載の方法。
［Ｃ１２］
前記スケジュールされたアップリンク送信が、第１のスケジュールされたアップリンク送信を備え、前記ＣＵＢＳが、第１のＣＵＢＳを備え、前記方法が、
前記ワイヤレスデバイスにおいて第２のＣＵＢＳを生成することと、ここにおいて、前記第２のＣＵＢＳの波形が、前記ワイヤレスデバイスによる第２のスケジュールされたアップリンク送信に少なくとも部分的に基づく、
前記第２のスケジュールされたアップリンク送信の前に前記アンライセンス無線周波数スペクトル帯域を占有するために、前記ワイヤレスデバイスによって、前記アンライセンス無線周波数スペクトル帯域を介して前記第２のＣＵＢＳを送信することと
をさらに備える、Ｃ１に記載の方法。
［Ｃ１３］
前記スケジュールされたアップリンク送信が、リッスンビフォアトーク（ＬＢＴ）フレーム、基地局同期フレーム、またはサブフレームからなる群から選択される送信期間についてスケジュールされる、Ｃ１に記載の方法。
［Ｃ１４］
前記ＣＵＢＳの前記波形がさらに、前記スケジュールされたアップリンク送信が最初にスケジュールされた送信期間の識別情報に少なくとも部分的に基づいて生成される、Ｃ１に記載の方法。
［Ｃ１５］
ワイヤレス通信のための装置であって、
ワイヤレスデバイスにおいてチャネル使用ビーコン信号（ＣＵＢＳ）を生成するための手段と、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信するための手段と
を備える装置。
［Ｃ１６］
前記ＣＵＢＳを生成するための前記手段が、
前記ＣＵＢＳの送信電力と前記スケジュールされたアップリンク送信の送信電力を一致させるための手段、および
前記ＣＵＢＳの帯域幅と前記スケジュールされたアップリンク送信の帯域幅を一致させるための手段
のうちの少なくとも１つを備える、Ｃ１５に記載の装置。
［Ｃ１７］
前記ＣＵＢＳの前記帯域幅と前記スケジュールされたアップリンク送信の前記帯域幅を一致させるための前記手段が、
前記ＣＵＢＳの帯域幅と前記スケジュールされたアップリンク送信に割り振られた周波数トーンセットを一致させるための手段
を備える、Ｃ１６に記載の装置。
［Ｃ１８］
前記スケジュールされたアップリンク送信に関連付けられた静的または半静的スケジュールに少なくとも部分的に基づいて、前記スケジュールされたアップリンク送信に割り振られた前記周波数トーンセットを決定するための手段
をさらに備える、Ｃ１７に記載の装置。
［Ｃ１９］
前記ＣＵＢＳの前記帯域幅と前記スケジュールされたアップリンク送信の前記帯域幅を一致させるための前記手段が、
前記ＣＵＢＳを送信するために使用されるリソースブロックの総数と前記スケジュールされたアップリンク送信に関連付けられたリソースブロックの総数を一致させるための手段
を備える、Ｃ１６に記載の装置。
［Ｃ２０］
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、Ｃ１５に記載の装置。
［Ｃ２１］
前記ＣＵＢＳの前記波形がさらに、前記ワイヤレスデバイスの識別情報に少なくとも部分的に基づいて生成される、Ｃ１５に記載の装置。
［Ｃ２２］
前記ワイヤレスデバイスが、第１のワイヤレスデバイスを備え、前記スケジュールされたアップリンク送信が、送信期間の間の基地局への複数のスケジュールされたアップリンク送信のうちの第１のスケジュールされたアップリンク送信を備え、前記複数のスケジュールされたアップリンク送信が、第２のワイヤレスデバイスによる第２のスケジュールされたアップリンク送信を備え、前記第１のスケジュールされたアップリンク送信が、前記第２のスケジュールされたアップリンク送信とは異なる、Ｃ１５に記載の装置。
［Ｃ２３］
前記スケジュールされたアップリンク送信が、第１のスケジュールされたアップリンク送信を備え、前記ＣＵＢＳが、第１のＣＵＢＳを備え、前記装置が、
前記ワイヤレスデバイスにおいて第２のＣＵＢＳを生成するための手段と、ここにおいて、前記第２のＣＵＢＳの波形が、前記ワイヤレスデバイスによる第２のスケジュールされたアップリンク送信に少なくとも部分的に基づく、
前記第２のスケジュールされたアップリンク送信の前に前記アンライセンス無線周波数スペクトル帯域を占有するために、前記ワイヤレスデバイスによって、前記アンライセンス無線周波数スペクトル帯域を介して前記第２のＣＵＢＳを送信するための手段と
をさらに備える、Ｃ１５に記載の装置。
［Ｃ２４］
ワイヤレス通信のための装置であって、
プロセッサと、
前記プロセッサに結合されたメモリと、ここにおいて、前記プロセッサが、
ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を行うように構成される、
を備える装置。
［Ｃ２５］
前記ＣＵＢＳを生成するように構成された前記プロセッサが、
前記ＣＵＢＳの送信電力と前記スケジュールされたアップリンク送信の送信電力を一致させる、および
前記ＣＵＢＳの帯域幅と前記スケジュールされたアップリンク送信の帯域幅を一致させる
のうちの少なくとも１つを実行するようにさらに構成される、Ｃ２４に記載の装置。
［Ｃ２６］
前記ＣＵＢＳの前記帯域幅と前記スケジュールされたアップリンク送信の前記帯域幅を一致させるように構成された前記プロセッサが、
前記ＣＵＢＳの帯域幅と前記スケジュールされたアップリンク送信に割り振られた周波数トーンセットを一致させる
ようにさらに構成される、Ｃ２５に記載の装置。
［Ｃ２７］
前記スケジュールされたアップリンク送信が、物理アップリンク共有チャネル（ＰＵＳＣＨ）送信、物理アップリンク制御チャネル（ＰＵＣＣＨ）送信、およびサウンディング基準信号（ＳＲＳ）送信からなる群から選択される送信を備える、Ｃ２４に記載の装置。
［Ｃ２８］
前記ＣＵＢＳの前記波形がさらに、前記ワイヤレスデバイスの識別情報に少なくとも部分的に基づいて生成される、Ｃ２４に記載の装置。
［Ｃ２９］
前記ＣＵＢＳの前記波形がさらに、前記スケジュールされたアップリンク送信が最初にスケジュールされた送信期間の識別情報に少なくとも部分的に基づいて生成される、Ｃ２４に記載の装置。
［Ｃ３０］
ワイヤレス通信のためのコードを記憶する非一時的コンピュータ可読媒体であって、前記コードが、
ワイヤレスデバイスにおいてチャネル使用ビーコン信号（ＣＵＢＳ）を生成することと、ここにおいて、前記ＣＵＢＳの波形が、前記ワイヤレスデバイスによるスケジュールされたアップリンク送信に少なくとも部分的に基づく、
前記スケジュールされたアップリンク送信の前にアンライセンス無線周波数スペクトル帯域を占有するために、前記ワイヤレスデバイスによって、前記アンライセンス無線周波数スペクトル帯域を介して前記ＣＵＢＳを送信することと
を行うようにプロセッサによって実行可能な命令を備える、非一時的コンピュータ可読媒体。